(57)【特許請求の範囲】
【請求項１】
少なくとも２つの引出しガイド（１，１’）であって、
各引出しガイド（１，１’）が、固定レール（４）、走行レール（２）、および中央レール（３）を備え、走行レール（２）、および中央レール（３）が前記固定レール（４）に対して可動する少なくとも２つの引出しガイド（１，１’）と、
前記可動レール（２，３）の移動を同期化する同期化手段（１０）と、を備え、
前記同期化手段（１０，１０’）が少なくとも１つの可撓性偏向要素（１１）を備え、
前記可撓性偏向要素（１１）が、偏向プーリ（１６，１８，１９）を介して前記中央レール（３）上で保持され、
２つの引出しガイド（１，１’）の間に配置され、前記引出しガイド（１、１’）間の可撓性偏向要素（１１）を少なくとも部分的に囲むことができるとともに、可撓性偏向要素（１１）と無関係に変位するエンクロージャ（２５）と、
エンクロージャ（２５）に作用する張力調整スリーブ（８０）と、
張力調整スリーブ（８０）に作用するばね（７５）と、を備えるとともに、
張力調整スリーブ（８０）およびばね（７５）は、エンクロージャ（２５）を可撓性偏向要素（１１）と無関係に変位させて、前記可撓性偏向要素（１１）の張力を設定し、
可撓性偏向要素（１１）に設定される張力を固定するロック手段（７０）を設けることを特徴とする
引出しシステム。
【請求項２】
前記同期化手段（１０，１０’）が、少なくとも１つの可動レール（２，３）に連結されていることを特徴とする
請求項１に記載の引出しシステム。
【請求項３】
前記同期化手段（１０，１０’）が、前記少なくとも１つの可動レール（２，３）と共に可動であることを特徴とする
請求項１または２に記載の引出しシステム。
【請求項４】
前記可撓性偏向要素（１１）が、接続部の上に、引出しガイド（１，１’）の長手方向に対して平行な１つの部分と長手方向に対して垂直な１つの部分とによって配置されていることを特徴とする
先の請求項のいずれか一項に記載の引出しシステム。
【請求項５】
前記可撓性偏向要素（１１）が、少なくとも１つの偏向プーリ（１６，１８，１９）を介してレール（３）上で案内可能であることを特徴とする
先の請求項のいずれか一項に記載の引出しシステム。
【請求項６】
前記偏向要素（１１）の一部分の周辺の少なくとも１つのエンクロージャ（２５）の長さを変更すること、および／または、引出しガイド（１）の長手方向に対して平行な少なくとも１つの保持装置（１７，２４）を変位させることによって、前記偏向要素（１１）の張力が調整可能であることを特徴とする
請求項１に記載の引出しシステム。
【請求項７】
前記可撓性偏向要素（１１）が、回転式に形成されるか、あるいはいくつかのサブセクションから形成されることを特徴とする
先の請求項のいずれか一項に記載の引出しシステム。
【請求項８】
前記可撓性偏向要素（１１）および／または前記偏向プーリ（１６，１８，１９）が、前記引出しガイド（１）に接続可能な少なくとも１つの保持装置に配置されていることを特徴とする
先の請求項のいずれか一項に記載の引出しシステム。
【請求項９】
前記可撓性偏向要素（１１）が、偏向プーリ（１６）を中心として引出しガイド（１，１’）のレール（３）でそれぞれ偏向することを特徴とする
先の請求項のいずれか一項に記載の引出しシステム。
【請求項１０】
前記可撓性偏向要素（１１）が、第１の接続ポイントで前記固定レール（４）に、第２の接続ポイントで前記走行レール（２）に固定されていることを特徴とする
先の請求項のいずれか一項に記載の引出しシステム。
【請求項１１】
前記可撓性偏向要素（１１）が、ワイヤケーブルとして形成されていることを特徴とする
先の請求項のいずれか一項に記載の引出しシステム。
【請求項１２】
什器部品または家庭電化製品、特に冷蔵庫であって、先の請求項のいずれか一項に記載の引出しシステムが設けられていることを特徴とする
家庭電化製品。
【発明の詳細な説明】
【技術分野】
【０００１】
本発明は、引出しシステムに関し、この引出しシステムは、少なくとも２つの引出しガイドと、各引出しガイドは固定レールおよび上記固定レールに対して可動である少なくとも１つのレールを含み、上記可動レールの移動を同期化する手段と、を備える。
【背景技術】
【０００２】
国際公開第２０１２／０６５８８０号パンフレットは、引出しガイドを開示しており、中間レールが走行レールとガイドレールとの間に設けられており、これらのレールの移動がケーブル操作式制御システムを介して制御される。  
したがって、走行レールの移動中にレールが互いに滑り、このような滑りが生じる場合、引き出し要素が斜めに位置決めされることが回避可能である。  
さらに、顕著なノイズをかなり減少させることも可能である。  
このようなケーブル操作型制御ユニットは、ガイドレールに対する中央レールおよび走行レールの移動を制御することができるにもかかわらず、引出しガイドが両側で心違いに移動する問題が、特に幅の広い引き出し要素において生じる可能性があり、かつ、その引き出し要素が望ましくなく斜めに位置決めされることになる。
【０００３】
欧州特許第２１６５６２４号明細書は、引き出し要素用の同期ガイドを開示しており、２つの相互に離れた引出しガイドのレールの移動を同期化する連結ロッドを含む。  
このような剛性の同期化装置では、重い引き出し要素の場合にはこれらに機械的に重い荷重がかかり、運転寿命が制限されるという問題が生じ得る。  
さらに、公差はある範囲内でのみ補われる。  
ピニオンおよび歯付きラックが剛性の同期化装置によく使用され、これらによって、引出しシステムを交換する間に騒がしいノイズが発生する可能性がある。
【先行技術文献】
【特許文献】
【０００４】
【特許文献１】国際公開第２０１２／０６５８８０号パンフレット
【特許文献２】欧州特許第２１６５６２４号明細書
【発明の概要】
【０００５】
したがって、本発明の目的は、変位可能なレールの移動を簡単な方法で同期化する少なくとも２つの引出しガイドを有する引出しシステムを提供することである。
【０００６】
本目的は、請求項１の特徴を備えた引出しシステムにより達成される。
【０００７】
本発明によると、同期化手段が、少なくとも２つの引出しガイドの可動レールの移動を同期化するための、少なくとも１つの可撓性偏向要素を含む。  
その結果、連結ロッドなどの剛性要素を介して力が伝達されず、可撓性偏向要素が引出しガイドの可動レール間の同期化を確実にし、簡単な取付けと公差の補償とが可能となる。  
引き出し要素が一方で引っ張られる場合であっても、同期手段によって引き出し要素の他方で確実に開口され、ここでは、可撓性偏向要素の小さな自重によって円滑に移動する。  
さらに、この可撓性偏向要素を使用することにより、極めて静かで円滑な走行が同期化される。
【０００８】
本発明の好ましい実施形態によると、同期化手段が、少なくとも１つの可動レールに連結されている。  
この同期化手段は、少なくとも１つの可動レール、たとえば、３つのレールによって構成される引出しガイドの中央レールと共に変位可能である。
【０００９】
可撓性偏向要素は、接続部の上に、引出しガイドの長手方向に対して平行な１つの部分と長手方向に対して垂直な１つの部分とによって配置されている。  
その結果、接続部は、２つの引出しガイドのうち少なくとも１つのレールと共に移動することができる一方で、引出しガイドの長手方向に対して平行な部分に偏向要素を介して張力がかけられる。  
可撓性偏向要素は、レール上の少なくとも１つの偏向プーリを介して案内可能である。  
偏向プーリ上の各引出しガイドは、約１８０度偏向することができる。
【００１０】
可撓性偏向要素を、引出しガイド間の接続部にあるエンクロージャによって少なくとも部分的に囲むことができる。  
このエンクロージャは、ケーブルダクトとして柔軟に形成されることもできる。  
偏向要素の張力は、エンクロージャを介して簡単な方法で調整可能であり、エンクロージャの長さは調整可能な方法で形成される。  
このエンクロージャは、力を軸方向に吸収する。  
このことは、それぞれのねじ調整によって簡単に可能となる。  
したがって、可撓性偏向要素の張力を設定するために，１つまたはいくつかの手段が好ましくは設けられる。  
さらに、エンクロージャは、好ましくは偏向プーリの領域において、ガイド要素によって案内されることができるので、可撓性偏向要素が規定の方法で偏向プーリまで移行可能である。
【００１１】
可撓性偏向要素の張力は、好ましくはばねを介して調整可能である。  
ばねを介して可撓性偏向要素をプレテンションする規定の力を加えることができるので、取付け中のエラーを回避することができる。  
ついで、ロック手段を介して設定されたプレテンションを固定することができるので、引出しシステムのレールの移動中に、設定されたプレテンションは変化しない。
【００１２】
可撓性偏向要素が、好ましくは回転式に形成される。  
特に、その長さがほとんど変化しない要素を、偏向要素、たとえば、バンド、またはケーブル、またはベルトとして使用可能である。  
好ましくは、長さが引張荷重でわずかにのみ変化するワイヤロープを使用する。  
あるいは、可撓性偏向要素はまた、少なくとも作動的に接続されているいくつかの（好ましくは４つの）サブセクションから構成されていてもよい。
【００１３】
本発明による引出しシステムは、好ましくは、２つの引出しガイドを備え、この引出しガイドは、固定レール、走行レール、および間の中央レールを含み、可撓性偏向要素が中央レール上に保持されている。  
ついで、可撓性偏向要素は、第１の接続ポイントで固定レールに、第２の接続ポイントで走行レールに固定可能であるので、引出しガイドのレールの移動もまた、同期化手段によって制御される。  
このようなシーケンス制御によって、走行レールが中央レールの２倍の速度で移動することが確実となる。
【００１４】
あるいは、可撓性偏向要素が、少なくとも１つの保持装置に個別のモジュールとして、偏向プーリと共に配置可能である。  
保持装置は、中央レールまたは他の任意のレールに、たとえばスナップ式接続部によって着脱可能に、または着脱不可能に接続可能である。  
その結果、可撓性偏向要素は、既存の引出しガイドにたいした労力なしで後付け可能である。  
必要なのは、たとえばクリップ留めによって、少なくとも１つのさらなるレールに接続部を後付けすることのみである。  
あるいは、接続部は、保持装置を支えるレール上の要素あるいは保持装置自体の上にある要素によって形成されることができ、これらの要素は、少なくとも１つのさらなるレールのそれぞれ形成された領域、たとえば溝または突起と相互に作用する。  
引出しシステムを不適切に使用した場合、これらの要素を偏向させることができ、したがって同期化が損なわれるのを防ぐことができる。
【００１５】
本発明による引出しガイドが、自己収縮機構、および／または減衰装置、および／または開口装置をさらに備えてもよい。  
これらを同期化に加えてにさらに設けることができる。  
これらのさらなる構成要素のアクチベータを、有利には可撓性偏向要素に配置してもよい。  
本発明による同期化の結果として、引出しシステムの一方に自己収縮機構または開口装置が十分に配置される。  
したがって、コストを削減することができる。
【００１６】
引出しシステムは、特に、家庭電化製品または什器の部品に使用されることができる、しかし、他の応用分野も可能である。
【００１７】
本発明を、添付の図面に示される実施形態を参照することで、以下により詳細に説明する。
【図面の簡単な説明】
【００１８】
【図１】本発明による引出しシステムの引出しガイドの斜視図である。
【図２】図２Ａおよび図２Ｂは、異なる位置にある図１の引出しガイドの２つの側面図である。
【図３】２つの引出しガイドを有する引出しシステムの正面図である。
【図４】図４Ａおよび図４Ｂは、異なる位置にある本発明による引出しシステムの２つの斜視図である。
【図５】本発明による引出しシステムの引き出し要素としてのバスケットの斜視図である。
【図６】本発明による引出しシステムの引出しガイドのさらなる実施形態を示す斜視図である。
【図７】図６の引出しガイドの可撓性偏向要素のプレテンションを設定する装置の部分図である。
【図８】図６の引出しガイドの可撓性偏向要素のプレテンションを設定する装置の部分図である。
【図９】図６の引出しガイドの可撓性偏向要素のプレテンションを設定する装置の部分図である。
【発明を実施するための形態】
【００１９】
引出しシステムは、２つの引出しガイド１を含む。  
ここでは、図１は、これらの引出しガイド１のうちの１つのみを示す。  
引出しガイド１は、引き出しなどの引き出し要素に連結可能である走行レール２と、受取り用バスケットまたは他の任意の引き出し要素とを含む。  
この走行レール２は、転動体を介して中央レール３に可動式に取り付けられ、中央レール３は、さらなる転動体を介して固定レール４に対して可動である。  
固定レール４は、取付けブラケット５を介して、什器または家庭電化製品の部品の本体に固定可能である。
【００２０】
上方に突出するフック６が、引出しガイド１の走行レール２に設けられている。  
このフックは、引き出しまたはバスケットなどの引き出し要素に連結するよう接続可能である。  
さらに、プラグ７が走行レール２の前方側面に設けられている。  
このプラグは、リミットストップとして使用されており、自己収縮機構または減衰装置に連結可能である。
【００２１】
走行レール２の移動をさらなる引出しガイド１の走行レール２と同期化するために、可撓性偏向要素１１を含む同期化手段１０がそれぞれ設けられている。  
可撓性偏向要素１１は、ケーブルとしてワイヤから形成されるが、他の任意のケーブル、バンド、または偏向可能である他の要素であってもよい。  
可撓性偏向要素１１は、保持装置１２を介して走行レール２に連結されている。  
ここでは、可撓性偏向要素１１は、接続ポイント１３で保持装置１２に固定されている。  
保持装置１４は、同様に固定レール４に設けられている。  
ここでは、可撓性偏向要素１１が接続ポイント１５で保持装置１４に固定されている。  
可撓性偏向要素は、溶接、接着によって、または機械的固定手段を用いて、接続ポイント１３および１５で保持装置１２および１４に固定可能である。
【００２２】
可撓性偏向要素１１は、前部領域において偏向プーリ１６の周囲を約１８０度偏向する。  
この偏向プーリは、中央レール３に固定されている保持装置１７に回転可能に取り付けられる。  
可撓性偏向要素１１によって、走行レール２、中央レール３、および固定レール４間でシーケンス制御を行うことができ、このことによって、走行レール２が中央レール３の２倍の速度で確実に移動し、レール間の滑りが防止される。
【００２３】
同期化手段１０は、可撓性偏向要素１１を引出しガイド１から対向する引出しガイド１まで案内するための、ガイド手段をさらに備える。  
この目的のために、さらなる保持装置２４が中央レール３上の後方に設けられている。  
中央レール３の上には、上部偏向プーリ１８および下部偏向プーリ１９が設けられており、これらのプーリはほぼ垂直な軸を含む。  
水平軸を中心として回転可能な偏向プーリ１６の場合以外は、可撓性偏向要素１１は、偏向プーリ１８および１９で水平方向に偏向可能である。  
リング２２が、偏向プーリ１８を備えた上部保持装置２０にさらに設けられており、このリングは、ねじ付きスリーブ２６を介して刻み付きナット２３に連結される。  
ねじ付きスリーブ２６を備えたリング２２は、下部保持装置２１にも類似の方法で設けられており、さらなる刻み付きナット２３が巻きつけられている。  
したがって、可撓性偏向要素１１の張力を調整することができる。  
このことは、以下により詳細に説明することとする。  
代替として、あるいは追加的に、可撓性偏向要素１１の張力は、保持装置１７および／または保持装置２４の引出しガイド１の長手方向に平行な変位を介して設定することもできる。  
この目的のために、スロットを保持装置１７、２４に設けてもよい。
【００２４】
引出しガイド１が、図２Ａおよび図２Ｂに異なる位置で示されている。  
図２Ａには、引出し位置が示されている。  
ここでは、走行レール２が固定レール４の前方に完全に移動している。  
図２Ｂには、後退位置または閉止位置が示されている。  
ここでは走行レール２および固定レール４が互いの上に配置されている。
【００２５】
図３は、２つの引出しガイド１を有する引出しシステムを示す。  
２つの引出しガイド１は、可撓性偏向要素１１を介して後部領域、すなわち接続領域で互いに接続されている。  
可撓性偏向要素１１は、ねじ付きスリーブ２６およびそれぞれの刻み付きナット２３によって案内され、ついで、たとえば可撓性チューブとして形成されるエンクロージャ２５に配置される。  
可撓性偏向要素１１に張力がかけられると、保持装置に配置されている刻み付きナット２３の少なくとも１つ、好ましくは上記両方のナットをリング２２に対してねじることによって、刻み付きナット２３と引出しガイドとの距離をわずかに変化させることができ、それによって、可撓性偏向要素が選択的に張力をかけられるか緩められる。  
ねじ付きスリーブ２６が、設定された張力を固定するために使用される。
【００２６】
図４Ａに示されているように、２つの引出しガイド１は、互いから間隔を置いて配置されており、可撓性偏向要素１１を介して後部領域で互い連結されている。  
図４Ａでは、エンクロージャ２５は、図を良く示すために省略されている。  
可撓性偏向要素１１は、周縁に形成されており、左側の走行レール２の保持装置１２から始まり、偏向プーリ１６の周囲を案内され、ついで、左側の引出しガイド１の固定レール４に接続されている。  
引出しガイド１の領域では、可撓性偏向要素１１は、レール２，３，４と平行に向いている。  
後部領域では、偏向プーリ１８および１９によって、可撓性偏向要素１１が確実に約９０度偏向する。  
右側の引出しガイド１は、左側の引出しガイド１と同様に形成可能であり、可撓性偏向要素が内側にそれぞれ配置されている。  
左側の引出しガイド１の保持装置１４に接続されている可撓性偏向要素１１の領域は、保持装置１２で対向する右側の引出しガイド１に走行レール２まで連結されている。  
逆に、左側の保持装置１４で固定レール４に接続されている部分は、偏向プーリ１９を介して反対側に向かって引出しガイド１まで案内され、そこで、走行レール２に固定されている保持装置１２まで偏向プーリ１８を介して接続されている。
【００２７】
図４Ｂに示されているように、可撓性偏向要素１１は、後部領域にある２つの中央レール３とともに移動する。  
走行レール２の移動は、可撓性偏向要素１１を介して片側に荷重がかけられる場合には、反対側の引出しガイド１も変位するように同期化される。  
このことによって、引き出し要素が極端に斜めに位置決めをされることが実質的に防止される。
【００２８】
図４Ａおよび図４Ｂに示されているように、右側の引出しガイドは、走行レール２にウェブ状のアクチベータ３１を含む。  
このアクチベータは、自己収縮機構３０に連結可能である。  
この自己収縮機構３０は、ガイド３３に沿って移動可能なドライバ３２を含む。  
ドライバ３２は、カートリッジ３４のばね要素に連結されているので、引出しガイド１は、閉止位置のすぐ前の閉じた位置まで引き出される。  
代替的あるいは追加的に可能であるのは、閉止位置に到達する前に走行レールの移動を制動するために、カートリッジ３４にダンパを設けることである。  
それぞれの自己収縮機構および／またはダンパもまた、引出しガイド１の反対側に取付け可能である。
【００２９】
図示の実施態様において、可撓性偏向要素１１は、回転式、すなわちループ形式で構成される。  
ループ状の構成がなく、２つの自由端部を有する２つの引出しガイド間の接続部のみがある可撓性偏向要素１１と同期化することもまた、明らかに可能である。
【００３０】
図６は、変形例１’を示す。  
ここでは、前述の実施形態のように、走行レール２が中央レール３を介して固定レール４に可動式に取り付けられる。  
鏡面反転して配置されている引出しガイド１’と移動を同期化させるために、同期手段１０’が設けられ、ワイヤケーブルの形をした可撓性偏向要素１１を備える。  
可撓性偏向要素１１は周縁に形成されず、いくつかのサブセクションで構成される。  
第１の保持装置５０が、たとえば溶接または接着によって走行レール２に固定され、ここでは２つの相互に間隔を置かれたフック５１が設けられている。  
それぞれのフック５１は、可撓性偏向要素１１の端部周辺で係合し、拡大された端部５２に配置されている。  
フック５１によって確実となるのは、拡大した端部５２がフック５１によって引き出されることが不可能であるので、可撓性偏向要素１１を所望の張力で保持装置５０を介して保持することができることである。
【００３１】
さらに、さらなる保持装置５０が固定レール４に固定される。  
この保持装置５０は、２つの相互に間隔を置かれたフック５１を含み、フック５１は、拡大された端部５２に近接してそれぞれに配置されているので、２つの拡大された端部５２を備えた可撓性偏向要素１１のサブセクションは、フック５１にそれぞれ引っ掛けられることができる。  
これは、２つの引出しガイド１’にいくつかの段階で取り付けられることのできる可撓性偏向要素１１の取付けを助ける。
【００３２】
可撓性偏向要素１１用のガイド装置６０が、中央レール３上の引出しガイド１’の後部領域に形成されている。  
ここでは、可撓性偏向要素１１が約９０度実質的に偏向する。  
ガイド装置６０は、それぞれの偏向プーリが配置されているハウジング６１を含む。  
ハウジング６１は、保持部６２を介して中央レール３に固定される。
【００３３】
図７に示されているように、ガイド装置６０は、２つのスリーブ６３をさらに備え、それを通ってそれぞれの可撓性偏向要素１１が案内される。  
各スリーブ６３は、いくつかの側方スロット６４および中央スロット６５を含む。  
ロック要素７０がスロット６４および６５に挿入されており、これを用いて、可撓性偏向要素１１に設定される張力を固定することができる。
【００３４】
ガイド装置６０および張力調整装置は、図８により詳細に示されている。  
コイルばねの形をしたばね７５が、スリーブ６３に挿入可能であり、このばねは、スリーブ６３内で固定可能な張力調整スリーブ８０に作用する。
【００３５】
張力調整装置は、ある角度として形成され、２つの平行したウェブ７１を含み、その間に中央ウェブ７２が配置されているロック要素７０をさらに備える。  
中央ウェブ７２は中央スロット６５に挿入可能であり、側方スロット７１はスリーブ６３のスロット６４に挿入可能である。
【００３６】
張力調整装置の機能が、図９に示されている。  
２つの偏向要素１１をそれぞれ９０度偏向させるために、偏向プーリ６７がガイド装置６０の軸６６（図７）を中心として回転可能に取り付けられる。  
可撓性偏向要素１１、または可撓性偏向要素１１の一部の張力を設定するために、ばね７５は、一方がスリーブ６３内で支持され、他方が張力調整スリーブ８０の内側突起に載置される。  
張力調整スリーブ８０は、他方が可撓性偏向要素１１の周辺に配置されているエンクロージャ２５に作用する。  
張力調整スリーブ８０が図９の右側に移動すると、可撓性偏向要素１１に張力をかけながら対向するハウジング６１間に配置さているエンクロージャ２５の一部分が延びる。  
しかし、張力調整スリーブ８０が左側に移動すると、下部の張力調整スリーブ８０に示されているように、対向するハウジング６１間に配置されているエンクロージャ２５の長さが減少するので、可撓性偏向要素１１にかかる張力が減少する。  
張力調整スリーブ８０の変位によって、ハウジング６１間に配置されている唯一の自由な可視長であるエンクロージャ２５の実際の長さは変わらない。  
エンクロージャ２５が偏向要素１１とは無関係に変位するので、したがって偏向要素１１のプレテンションを設定することができる。
【００３７】
したがって、ばね７５は偏向要素１１に与えられる張力を予め定めることができる。  
その結果、比較的正確にプレテンションすることができ、このことによって、誤りが回避される。  
というのは、可撓性偏向要素１１が極端な張力調整で案内されると、摩擦が生じシステムが鈍く動作するからである。  
一方で、不十分なプレテンションが設定されると、２つの引出しガイド１’を最適に同期化することが確実に不可能となる。
【００３８】
予設定されるプレテンションを固定するために、張力調整スリーブ８０が所望の位置にある場合、ウェブ７１によってスロット６４に挿入されているロック要素１７を設ける。  
したがって、偏向要素１１の長手方向に張力調整スリーブ８０が変位することが防止される。  
なぜなら、いくつかの溝がウェブ７１のセクションが係合する張力調整スリーブ８０の外周縁に設けられているためであり、そのため、ロック要素７０が再びスリーブ６３から引き出されるまで、張力調整スリーブ８０がスリーブ６３内で固定されて保持される。  
他のロック要素７０またはクランプ装置もまた、挿入可能である。
【００３９】
図示の実施態様において、可撓性偏向要素１１は、ワイヤまたはワイヤケーブルとして形成されている。  
偏向要素としてバンドまたはベルトを設けることもまた、明らかに可能であり、この場合、それに応じて偏向プーリ１６，１８および１９を修正する必要がある。  
なぜなら、ケーブル用の溝状の受け器がそれぞれ偏向プーリ１６，１８および１９に形成されるからである。
【００４０】
それぞれの走行レールの移動を一体化するために、２つの引出しガイド１の代わりに３つ以上の引出しガイドにおいて、同期化手段１０を使用することも可能である。
【００４１】
本実施形態に代えて、偏向プーリの配置を逆転することも可能であるので、少なくとも２つの引出しガイド間の接続部およびそれぞれの２つの偏向プーリが引出しシステムの前部領域に設置され、１つのそれぞれの偏向ローラが引出しシステムの後部領域に配置される。
【００４２】
本発明による引出しシステムは、什器または家庭電化製品において好ましくは使用される。  
図５は、冷凍装置のバスケット４０が引出しガイド１に固定される実施形態を示す。  
この目的のために、バスケット４０の上部支柱４１が引出しガイド１の走行レール２に固定されている。  
このバスケットは、いくつかの垂直支柱４３を含む。  
垂直支柱４３は、互いに水平支柱４２を介して接続されているので、格子状の構成が生じる。  
バスケット４０の代わりに、本発明による引き出しまたは他の任意引き出し要素を引出しシステムに取付け可能である。
【符号の説明】
【００４３】
１，１’  引出しガイド
２  走行レール
３  中央レール
４  固定レール
５  取付けブラケット
６  フック
７  プラグ
１０，１０’  手段
１１  偏向要素
１２  保持装置
１３  接続ポイント
１４  保持装置
１５  接続ポイント
１６  偏向プーリ
１７  保持装置
１８  偏向プーリ
１９  偏向プーリ
２０  保持装置
２１  保持装置
２２  リング
２３  刻み付きナット
２４  保持装置
２５  エンクロージャ
２６  ねじ付きスリーブ
３０  自己収縮機構
３１  アクチベータ
３２  ドライバ
３３  ガイド
３４  カートリッジ
４０  バスケット
４１  支柱
４２  支柱
４３  支柱
５０  保持装置
５１  フック
５２  端部区間
６０  ガイド装置
６１  ハウジング
６２  保持部
６３  スリーブ
６４  スロット
６５  スロット
６６  軸
６７  偏向プーリ
７０  ロック要素
７１  ウェブ
７２  中央ウェブ
７５  ばね
８０  張力調整スリーブ
【図１】
0006393318.tif 000002
【図２】
0006393318.tif 000003
【図３】
0006393318.tif 000004
【図４】
0006393318.tif 000005
【図５】
0006393318.tif 000006
【図６】
0006393318.tif 000007
【図７】
0006393318.tif 000008
【図８】
0006393318.tif 000009
【図９】
0006393318.tif 000010